(57)【要約】【課題】  操作可能領域の大きな操作釦を提供する。【解決手段】  操作釦１０は、操作面部１１と、この操作面部１１を組み付けるホルダ１２と、このホルダ１２を前記筐体１に固定するためにストッパ３５とで構成され、これら各構成部品は樹脂などによる一体成形品である。この操作釦１０を装着する前記筐体１には、前記操作面部１１とほぼ同形同大な取付孔１２ａが形成され、この取付孔１２ａに操作面部１１を装着した際、前記筐体１と連続し、ほぼフラットに連続するように略平板状に形成されている。ホルダ１２は、筐体１に取り付けるための略Ｌ型の取り付け部１５と、操作面部１１を取り付ける略平板状の取付面１６とから成り、取り付け部１５と取付面１６とをヒンジ部１７で連結する。ヒンジ部１７は全幅に亘って前記操作面部１１の外形投影面内に含まれている。【選択図】  図６
2006278248.tif 000002
【特許請求の範囲】
【請求項１】
筐体と、前記筐体の内側に固定されたスイッチと、ユーザーの操作により前記スイッチを動作させる操作釦とを具備する電子機器において、前記操作釦は、前記筐体に形成する取付孔に臨んで外部に露出し、ユーザーが直接触れて押圧する操作面部と、この操作面部の後方に配置して該操作面部を組み付けるホルダと、このホルダの後方に延出するスイッチ押圧部とを具備し、前記ホルダは、前記筐体に取り付ける取り付け部と、前記ホルダと前記取り付け部とを連結し、屈曲可能な薄肉形状としたヒンジ部とを備え、このヒンジ部の全部又は一部が前記操作面部の外形投影面内に含まれることを特徴とする操作釦を備えた電子機器。
【請求項２】
前記操作釦と当接可能なストッパ手段を具備することを特徴とする請求項１に記載の操作釦を備えた電子機器。
【請求項３】
前記操作釦に前記筐体と当接して筐体からの操作釦の突出を防止するストッパ手段を具備することを特徴とする請求項１又は請求項２に記載の操作釦を備えた電子機器。
【請求項４】
前記ヒンジ部が前記操作面部の外形投影面の端部にあることを特徴とする請求項１乃至３に記載の操作釦を備えた電子機器。
【請求項５】
筐体と、前記筐体の内側に固定された基板と、前記基板に固定されたスイッチと、ユーザーの操作により前記スイッチを動作させる操作釦とを具備し、前記筐体は、前記操作釦の一部を前記筐体の外部に露出する取付孔と、前記操作釦を取り付けるための突起部と、支軸を支点として開閉可能に回転する開閉カバーを具備し、前記開閉カバーの内側に、音量調整及びチャンネル切り替えを操作するための操作スイッチ並びに他の電子機器との間で信号の入出力を行うためのケーブルの接続を可能とする接続端子を配置し、前記操作釦は、前記筐体の外部に露出し、ユーザーが直接触れて押圧する操作面部と、前記操作面部の後方に配置されるホルダと、前記ホルダの後方に延出するスイッチ押圧部と、前記突起部と嵌合する嵌合孔を具備する取り付け部と、前記ホルダと前記取り付け部とを連結し、屈曲可能な薄肉形状としたヒンジ部とを具備するテレビジョン受像機において、前記ヒンジ部の全部が、前記操作面部の外形投影面内に含まれ、且つ、前記外形投影面の下端部にあり、前記操作釦と当接可能なストッパ手段を具備し、前記ホルダと前記スイッチ押圧部と前記取り付け部と前記ヒンジ部とが一体形成されており、前記操作面部と前記開閉カバーとが前記筐体の前面に水平に配置され、前記操作面部の高さと前記開閉カバーの高さとがほぼ同寸法であることを特徴とする操作釦を備えたテレビジョン受像機。
【発明の詳細な説明】
【技術分野】
【０００１】
本発明は、電子機器の操作釦に関し、特に、テレビジョン受像機の前面に配置された電源釦に関するものである。
【背景技術】
【０００２】
従来、電子機器の操作釦には、金属の支軸やバネといった部品を使用することなく、且つ、容易な組み立て作業により、その機能を実現できるということから、特許文献１に示すように屈曲可能な薄肉形状のヒンジを使用した構造のものが知られている。
【０００３】
このようなヒンジ構造を採用した操作釦をテレビジョン受像機などの電子機器に用いた従来の操作釦の構造の一例を図１４を参照して説明すると、電子機器は、筐体１００と、筐体１００の内側に固定されたスイッチ１０１と、ユーザーの操作によりスイッチ１０１を動作させる操作釦１０２とを具備する。筐体１００は、操作釦１０２の一部を筐体１００の外部に露出する取付孔１０３を具備する。操作釦１０２は、筐体１００の外部に露出し、ユーザーが直接触れて押圧する操作面部１０４と、操作面部１０４の後方に延出するスイッチ押圧部１０５と、筐体１００に取り付ける取り付け部１０６と、操作面部１０４と取り付け部１０６とを連結する屈曲可能な薄肉形状としたヒンジ部１０７とを具備する。ここで、操作釦１０２は、一体成形により作られたものである。このような、ヒンジ構造を採用した操作釦１０２は、図１５で示すようにユーザーが矢印の方向に操作面部１０４を押すと、ヒンジ部１０７を中心にスイッチ押圧部１０５が動き、スイッチ１０１を動作させる。
【０００４】
【特許文献１】特開２００５−５０７５０号公報
【発明の開示】
【発明が解決しようとする課題】
【０００５】
しかしながら、特許文献１及び従来の構造の操作釦１０２では、ヒンジ部１０７が操作面部１０４の外形投影面の外にあるため、操作面部１０４を大きくし難く、換言すれば、操作可能領域を大きくし難いという課題があった。ここで、「操作面部の外形投影面」とは、操作面部１０４を前方から投影した場合の外形を意味し、「操作可能領域」とは、操作面部１０４の前面において、ユーザーが押圧してスイッチ１０１を動作させることができる領域を意味する。
【０００６】
又、文字や模様等を入れるために高い成形精度を要求される操作面部１０４と、操作面部１０４に比べて低い成形精度で十分な他の部分とを一体成形するため、操作釦１０２の全体を高い成形精度で形成しなければならず、成形コストが高くなるという課題があった。
【０００７】
さらに、ヒンジ部１０７を持つ構造のため、操作面部１０４の押し方（例えば、図１６において、矢印の方向に押す場合など）によっては、操作釦１０２の上部が筐体１００の前面に突出する可能性があるという課題があった。
【０００８】
本発明は、上記背景技術を鑑みてなされたものであり、操作釦における操作面部の操作可能領域を広くすることが出来、又、操作釦の成形コストを安価にすることが可能で、さらに筐体から操作釦の突出を防止できるテレビジョン受像機などの操作釦を備えた電子機器を提供することをその目的とする。
【課題を解決するための手段】
【０００９】
請求項１に記載の操作釦を備えた電子機器は、筐体と、前記筐体の内側に固定されたスイッチと、ユーザーの操作により前記スイッチを動作させる操作釦とを具備し、前記筐体は、前記操作釦の一部を前記筐体の外部に露出する取付孔を具備し、前記操作釦は、前記筐体の外部に露出し、ユーザーが直接触れて押圧する操作面部と、前記操作面部の後方に配置されるホルダと、前記ホルダの後方に延出するスイッチ押圧部と、前記筐体に取り付ける取り付け部と、前記ホルダと前記取り付け部とを連結し、屈曲可能な薄肉形状としたヒンジ部とを具備する電子機器において、前記ヒンジ部の全部又は一部が前記操作面部の外形投影面内に含まれることを特徴とする。
【００１０】
請求項１の構成によれば、筐体に操作釦及びホルダを実装することによって操作面部は筐体の取付孔に挿入され、操作面部と筐体とがフラットに連続し、操作面部を押圧することによって、操作面部を組み付けたホルダのヒンジ部が撓んでスイッチ押圧部によってスイッチをオン・オフ制御することができる。又、ヒンジ部の全部又は一部が操作面部の外形投影面内に含まれているから、大きな操作面部を確保することが可能になり、操作可能領域を大きくすることができる。
【００１１】
請求項２に記載の操作釦を備えた電子機器は、請求項１に記載の操作釦を備えた電子機器において、前記操作釦と当接可能なストッパ手段を具備することを特徴とする。
【００１２】
請求項２の構成によれば、操作釦と当接可能なストッパを具備することによって、ユーザーが操作面部を押圧することでホルダのヒンジ部が撓み、ホルダの後方に延出するスイッチ押圧部が筐体の内側に固定されたスイッチを押す押圧力を規制できるため、スイッチ押圧部によってスイッチが過剰に押圧されることはない。
【００１３】
請求項３に記載の操作釦を備えた電子機器は、請求項１又は請求項２に記載の操作釦を備えた電子機器において、前記操作釦に前記筐体と当接して筐体からの操作釦の突出を防止するストッパ手段を具備することを特徴とする。
【００１４】
請求項３の構成によれば、操作面部の押し方によって操作釦が筐体の前面に突出するのを防止するためのストッパ手段を設けたことにより、ストッパ手段が筐体に当接して筐体からの操作面部の突出を規制できる。
【００１５】
請求項４に記載の操作釦を備えた電子機器は、請求項１乃至請求項３に記載の操作釦を備えた電子機器において、前記ヒンジ部が前記操作面部の外形投影面の端部にあることを特徴とする。
【００１６】
請求項４の構成によれば、ホルダに形成したヒンジ部の全部又は一部が操作面部の外形投影面内に含まれ、且つ、前記ヒンジ部が前記操作面部の外形投影面の端部に設けたことにより、操作面部における操作可能領域をより大きくすることができる。
【００１７】
請求項５に記載の操作釦を備えたテレビジョン受像機は、筐体と、前記筐体の内側に固定された基板と、前記基板に固定されたスイッチと、ユーザーの操作により前記スイッチを動作させる操作釦とを具備し、前記筐体は、前記操作釦の一部を前記筐体の外部に露出する取付孔と、前記操作釦を取り付けるための突起部と、支軸を支点として開閉可能に回転する開閉カバーを具備し、前記開閉カバーの内側に、音量調整及びチャンネル切り替えを操作するための操作スイッチ並びに他の電子機器との間で信号の入出力を行うためのケーブルの接続を可能とする接続端子を配置し、前記操作釦は、前記筐体の外部に露出し、ユーザーが直接触れて押圧する操作面部と、前記操作面部の後方に配置されるホルダと、前記ホルダの後方に延出するスイッチ押圧部と、前記突起部と嵌合する嵌合孔を具備する取り付け部と、前記ホルダと前記取り付け部とを連結し、屈曲可能な薄肉形状としたヒンジ部とを具備するテレビジョン受像機において、前記ヒンジ部の全部が、前記操作面部の外形投影面内に含まれ、且つ、前記外形投影面の下端部にあり、前記操作釦と当接可能なストッパ手段を具備し、前記ホルダと前記スイッチ押圧部と前記取り付け部と前記ヒンジ部とが一体形成されており、前記操作面部と前記開閉カバーとが前記筐体の前面に水平に配置され、前記操作面部の高さと前記開閉カバーの高さとがほぼ同寸法であることを特徴とする。
【００１８】
請求項５の構成によれば、テレビジョン受像機において、大きな操作面部を確保することで操作可能領域を大きくすることが可能になり、操作面部の大型化による操作性の向上並びに外観デザインの向上にも寄与する。
【発明の効果】
【００１９】
請求項１に係る操作釦を備えた電子機器によれば、筐体と、前記筐体の内側に固定されたスイッチと、ユーザーの操作により前記スイッチを動作させる操作釦とを具備する電子機器において、前記操作釦は、前記筐体に形成する取付孔に臨んで外部に露出し、ユーザーが直接触れて押圧する操作面部と、この操作面部の後方に配置して該操作面部を組み付けるホルダと、このホルダの後方に延出するスイッチ押圧部とを具備し、前記ホルダは、前記筐体に取り付ける取り付け部と、前記ホルダと前記取り付け部とを連結し、屈曲可能な薄肉形状としたヒンジ部とを備え、このヒンジ部の全部又は一部が前記操作面部の外形投影面内に含まれるものであるから、大きな操作面部を確保することが可能になり、操作可能領域を大きくすることができる。又、高い成形精度が必要とされる操作面部と、操作面部に比べて低い成形精度で十分な他の部分を別々に成形することで、操作釦の成形コストを低く抑えることが可能になる。
【００２０】
請求項２に係る操作釦を備えた電子機器によれば、請求項１に記載の操作釦を備えた電子機器において、前記操作釦と当接可能なストッパ手段を具備するものであるから、ユーザーが過剰な押圧力にて操作面部を押圧した場合でも、筐体の内側に固定されたスイッチに過剰な押圧力が加わることはない。
【００２１】
請求項３に係る操作釦を備えた電子機器によれば、請求項１又は請求項２に記載の操作釦を備えた電子機器において、前記操作釦に前記筐体と当接して筐体からの操作釦の突出を防止するストッパ手段を具備するものであるから、極端な操作面部の押し方による筐体からの操作釦の突出を防ぐことができる。
【００２２】
請求項４に係る操作釦を備えた電子機器によれば、請求項１乃至請求項３に記載の操作釦を備えた電子機器において、前記ヒンジ部が前記操作面部の外形投影面の端部にあるものであるから、操作面部における操作可能領域をより大きくすることができる。
【００２３】
請求項５に係る操作釦を備えたテレビジョン受像機によれば、筐体と、前記筐体の内側に固定された基板と、前記基板に固定されたスイッチと、ユーザーの操作により前記スイッチを動作させる操作釦とを具備し、前記筐体は、前記操作釦の一部を前記筐体の外部に露出する取付孔と、前記操作釦を取り付けるための突起部と、支軸を支点として開閉可能に回転する開閉カバーを具備し、前記開閉カバーの内側に、音量調整及びチャンネル切り替えを操作するための操作スイッチ並びに他の電子機器との間で信号の入出力を行うためのケーブルの接続を可能とする接続端子を配置し、前記操作釦は、前記筐体の外部に露出し、ユーザーが直接触れて押圧する操作面部と、前記操作面部の後方に配置されるホルダと、前記ホルダの後方に延出するスイッチ押圧部と、前記突起部と嵌合する嵌合孔を具備する取り付け部と、前記ホルダと前記取り付け部とを連結し、屈曲可能な薄肉形状としたヒンジ部とを具備するテレビジョン受像機において、前記ヒンジ部の全部が、前記操作面部の外形投影面内に含まれ、且つ、前記外形投影面の下端部にあり、前記操作釦と当接可能なストッパ手段を具備し、前記ホルダと前記スイッチ押圧部と前記取り付け部と前記ヒンジ部とが一体形成されており、前記操作面部と前記開閉カバーとが前記筐体の前面に水平に配置され、前記操作面部の高さと前記開閉カバーの高さとがほぼ同寸法であるから、操作面部における操作可能領域をより大きくすることができ、又、操作釦の筐体からの飛び出しを防ぐことができる。さらに、操作釦の成形コストを低く抑えることができ、加えて、テレビジョン受像機のデザインをより整ったものにできる。
【発明を実施するための最良の形態】
【００２４】
以下、本発明の実施の形態を、添付図面を参照して説明する。
【００２５】
図１は、電子機器の正面図であり、本実施例では、電子機器としてテレビジョン受像機に適用した場合を示す。テレビジョン受像機の筐体１の前面には音量調整及びチャンネル切り替えを操作するための複数の操作スイッチ３や他の電子機器との間で信号の入出力を行うためのケーブルの接続を可能とする接続端子４が並設されている。これらの操作スイッチ３や接続端子４は図示しない支軸を支点として開閉可能に回転する開閉カバー５によって覆われている。この開閉カバー５に隣接して主電源をオン・オフするスイッチ６を操作するための操作釦１０が並設されている。
【００２６】
操作釦１０は、操作面部１１と、この操作面部１１を組み付けるホルダ１２と、このホルダ１２を前記筐体１に固定するためのストッパ３５とで構成され、これら各構成部品は樹脂などによる一体成形品である。この操作釦１０を装着する前記筐体１には、前記操作面部１１とほぼ同形同大な取付孔１２ａが形成され、この取付孔１２ａに操作面部１１を装着した際、前記筐体１と連続し、ほぼフラットに連続するように略平板状に形成されている。又、前記操作面部１１と前記操作スイッチ３及び前記接続端子４を覆う開閉カバー５との高さを揃えるように、本実施例において操作面部１１は、概ね幅３０ｍｍ、高さ６５ｍｍと一般的なスイッチの操作面のサイズより大型である。
【００２７】
ホルダ１２は、前記筐体１に取り付けるための略Ｌ型の取り付け部１５と、前記操作面部１１を取り付ける略平板状の取付面１６とから成り、この取り付け部１５と取付面１６とが屈曲可能な薄肉形状としたヒンジ部１７とで連結されている。前記取り付け部１５には、前記筐体１に形成する位置決めピン１８と取付ボス部（図示なし）に対応して位置決め孔２０とねじの挿通孔２２を有する筒部２３が形成されている。一方、取付面１６には、操作面部１１に形成する位置決めピン２５とフック２６に対応して位置決め孔２７と係止爪２８とが形成されている。又、取付面１６の背面側には前記スイッチ６を押圧するスイッチ押圧部３０が後方に向かって突設されているとともに取付面１６の上縁ほぼ中央には筐体１の内面に当接して筐体１からの操作面部１１の突出を防止する略Ｌ字状の突出防止ストッパ３１が形成されている。尚、ヒンジ部１７は全幅に亘って前記操作面部１１の外形投影面内に含まれている。
【００２８】
符号３５は、前記ホルダ１２と当接して前記スイッチ押圧部３０によって前記スイッチ６が過剰に押圧されるのを防止するストッパであり、全体として枠状を成し、前記ホルダ１２の背面と僅かな間隔を隔てて筐体１の内面に形成する取付ボス部１９と対応してねじ２１の挿通孔３６を有する筒部３７が形成されるとともに、ストッパ３５の下部には前記筐体１に形成する係止孔３８ａと係合する係合突起３８ｂが形成されている。又、ストッパ３５の背面には、前記スイッチ６が実装された基板６ａを支持するためのリブ３９ａが突設され、そのリブ３９ａに基板６ａを挿入する切欠溝３９が形成されている。
【００２９】
以上のように構成される本実施例は、図３乃至図１１に示すように、先ず操作面部１１に形成する位置決めピン２５をホルダ１２の取付面１６に形成する位置決め孔２７に挿入するとともに、操作面部１１のフック２６を係止爪２８に係止して操作面部１１とホルダ１２とを一体的にユニット化する。この後、筐体１に形成する位置決めピン１８と取付ボス部（図示なし）にホルダ１２の位置決め孔２０と筒部２３とを挿入し、筒部２３の挿通孔２２から取付ボス部にねじをねじ込んで筐体１にユニット化した操作面部１１とホルダ１２を固定する。そして、ストッパ３５の係合突起３８ｂを筐体１に形成する係止孔３８ｂと係合させるとともに、ストッパ３５に形成する筒部３７と取付ボス部１９とを嵌め合わせて筒部３７の挿通孔３６から取付ボス部１９にねじ２１をねじ込んで筐体１にストッパ３５を固定する。これにより、筐体１に操作釦１０を装着することができる。この後、ストッパ３５の背面に形成するリブ３９ａの切欠溝３９にスイッチ６を実装する基板６ａを挿入してスイッチ６を含む基板６ａを筐体１に固定する。
【００３０】
このように、筐体１に操作釦１０及びホルダ１２を実装することによって操作面部１１は筐体１の取付孔１２ａに挿入され、操作面部１１と筐体１とがフラットに連続した状態で配置でき、又、操作面部１１を押圧することによって、操作面部１１を組み付けたホルダ１２のヒンジ部１７が撓んでスイッチ押圧部３０によってスイッチ６をオン・オフ制御することができる。この際、操作釦１０はストッパ３５に当接してスイッチ押圧部３０によってスイッチ６が過剰に押圧されることはない。又、取付面１６の上縁に形成する突出防止ストッパ３１が筐体１の内面に当接して筐体１から操作面部１１が外側に突出することはない。さらに、ヒンジ部１７は全幅に亘って前記操作面部１１の外形投影面内に含まれているから、従来よりも大きな操作面部１１を確保することが可能になり、又、従来よりも操作可能領域を大きくすることが可能になる。加えて、直接、外面に露出する操作面部１１と、この操作面部１１を筐体１に組み付けるためのホルダ１２とをそれぞれ別体で成形することによって、通常、直接ユーザーに目視される筐体１の前面や筐体１の前面に装着される操作面部１１は意匠性を考慮して梨地模様、しぼ加工、或いは微細な凹凸などの装飾加工を施す場合が多く、高い成形精度が必要とされるが、これらの加工が必要な操作面部１１と、他の構成部品（ホルダ１２、ストッパ３５など）とを別々に成形することで、他の構成部品は操作面部１１に比べて低い成形精度で十分であるから、操作釦１０全体を一体成形する場合に比べ操作釦１０の成形コストを低く抑えることが可能になる。又、ヒンジ部１７の全部が操作面部１１の外形投影面内に含まれており、操作釦１０はヒンジ部１７を中心として前後に可動することになるが、スイッチ６側はストッパ３５によって過剰に押圧されることはない。一方、操作釦１０の前方側への移動はホルダ１２に形成する突出防止ストッパ３１によって規制され、筐体１から操作面部１１が外側に突出することはない。又、操作面部１１と操作スイッチ３及び接続端子４を覆う開閉カバー５との高さを揃えるように操作釦１０を筐体１に配置することによって、外観が統一的なデザインとなり、操作面部１１の大型化に伴う操作性の向上並びに外観デザインの向上にも寄与する。
【００３１】
以上、本発明の実施例を詳述したが、本発明は、前記実施例に限定されるものではなく、本発明の要旨の範囲内で種々の変形実施が可能である。例えば、図１２（ａ）で示すようにヒンジ部１７が操作面部１１の上方にあり、操作面部１１を操作して上方に配置したスイッチ６をオン・オフ制御するようにしてもよい。又、図１２（ｂ）で示すようにヒンジ部１７を操作面部１１の中央付近に形成し、上側スイッチ６ｃと下側スイッチ６ｄを操作するように構成してもよい。この場合、操作面部１１の下部を押した場合に上側スイッチ６ｃを作動させ、操作面部１１の上部を押した場合に下側スイッチ６ｄを作動させることができる。さらに、図１３で示すように、操作釦１０が電子機器の筐体１の前面に飛び出すことを防止する手段として、２つの部品からなる突出防止ストッパ３１を形成すれば、操作面部１１の下部を押した場合に、２つの突出防止ストッパ３１が当接することで、操作釦１０が前面に飛び出すことを防止できる。
【図面の簡単な説明】
【００３２】
【図１】本発明の一実施例を示す開閉カバーを閉じた状態の電子機器の正面図である。
【図２】同上、開閉カバーを開いた状態の電子機器の正面図である。
【図３】同上、操作面部とホルダとの分解斜視図である。
【図４】同上、操作釦の斜視図である。
【図５】同上、操作釦とストッパとの分解斜視図である。
【図６】操作釦の後方にストッパを配置した状態を示す斜視図である。
【図７】同上、操作面部を示し、図７（ａ）は側面図、図７（ｂ）は背面図である。
【図８】同上、ホルダを示し、図８（ａ）は平面図、図８（ｂ）は正面図、図８（ｃ）は側面図である。
【図９】同上、ストッパを示し、図９（ａ）は正面図、図９（ｂ）は側面図である。
【図１０】同上、操作面部とホルダとの組み付け状態を示し、図１０（ａ）は分解状態の側面図、図１０（ｂ）は組み付け状態を示す側面図である。
【図１１】同上、操作釦の組み付け状態を示す断面図である。
【図１２】本発明の変形例を示し、図１２（ａ）は操作面部の上方にヒンジ部を形成した場合の側面図、図１２（ｂ）は操作面部の中央付近にヒンジ部を形成した場合の側面図である。
【図１３】本発明の変形例を示し、ストッパの変形例を示す側面図である。
【図１４】従来例を示す操作釦の側面図である。
【図１５】同上、操作面部の操作状態を示す側面図である。
【図１６】同上、操作面部が前面に飛び出す状態を示す側面図である。
【符号の説明】
【００３３】
１      筐体
４      接続端子
５      開閉カバー
６      スイッチ
６ａ    基板
１０    操作釦
１１    操作面部
１２    ホルダ
１２ａ  取付孔
１５    取り付け部
１７    ヒンジ部
３０    スイッチ押圧部
３１    突出防止ストッパ
３５    ストッパ
【図１】
2006278248.tif 000003
【図２】
2006278248.tif 000004
【図３】
2006278248.tif 000005
【図４】
2006278248.tif 000006
【図５】
2006278248.tif 000007
【図６】
2006278248.tif 000008
【図７】
2006278248.tif 000009
【図８】
2006278248.tif 000010
【図９】
2006278248.tif 000011
【図１０】
2006278248.tif 000012
【図１１】
2006278248.tif 000013
【図１２】
2006278248.tif 000014
【図１３】
2006278248.tif 000015
【図１４】
2006278248.tif 000016
【図１５】
2006278248.tif 000017
【図１６】
2006278248.tif 000018